(57)【要約】【課題】コードリールの回転性を損なうことなくブレーキによるコードリールの回転の阻止が意図せずに解除されることを防止した電気掃除機を提供する。【解決手段】コードリール45に、少なくとも中心軸を除く位置で接触してコードリール45を軸方向に支持し、コードリール45の回転方向に沿って回転可能な複数の車輪47を設ける。コードリール45の傾きを防止でき、コードリール45の回転性を損なうことなくブレーキ48によるコードリール45の回転の阻止が意図せずに解除されることを防止できる。【選択図】図１
2010012020.tif 000002
【特許請求の範囲】
【請求項１】
電動送風機を収容した掃除機本体と、
少なくとも前記電動送風機に給電可能な電源コードを巻回し、前記掃除機本体に回転可能に設けられ、この回転により前記電源コードを前記掃除機本体に対して出し入れ可能なコードリールと、
このコードリールの中心軸方向に向けて付勢され、前記コードリールに対して接触することでこのコードリールの回転を阻止するブレーキと、
前記コードリールに少なくとも中心軸を除く位置で接触してこのコードリールを軸方向に支持し、かつ、少なくともこのコードリールの回転方向に沿って回転可能な複数の回転体と
を具備したことを特徴とした電気掃除機。
【請求項２】
回転体は、コードルールの軸方向の両端側で、かつ、互いに軸方向に対向する位置に配置されている
ことを特徴とした請求項１記載の電気掃除機。
【請求項３】
回転体は、
コードリールの軸方向の一端側に配置された第１回転体と、
前記コードリールの軸方向の他端側で、かつ、このコードリールの中心軸の軸方向から見て、前記第１回転体に対してこの中心軸と反対側の位置を除く位置に配置された第２回転体とを有している
ことを特徴とした請求項１記載の電気掃除機。
【請求項４】
コードリールは、電源コードを周囲に巻回する円筒状の胴体部を備え、
回転体は、少なくとも前記胴体部の縁部に対向する位置近傍で前記コードリールに接触している
ことを特徴とした請求項１ないし３いずれか一記載の電気掃除機。
【発明の詳細な説明】
【技術分野】
【０００１】
本発明は、電源コードを掃除機本体に対して出し入れ可能なコードリールを備えた電気掃除機に関する。
【背景技術】
【０００２】
従来、この種の電気掃除機は、電動送風機を収容した掃除機本体を備えている。この掃除機本体には、電動送風機の吸込側に連通する集塵室と、電動送風機を収容する電動送風機室と、この電動送風機室の側方に位置するコードリール室とがそれぞれ区画形成されている。集塵室には、電動送風機の駆動により吸い込んだ塵埃を捕集する集塵部が設けられている。また、コードリール室には、電動送風機およびこの電動送風機の駆動を制御する制御手段などに対して給電するための電源コードを巻回したコイルボビン状のコードリールが、回転軸を介して回転可能に軸支されている。このコードリールは、例えばぜんまいばねなどによって回転方向に付勢されている。さらに、コードリールの側方には、このコードリールに接触することでこのコードリールの回転を阻止するブレーキが、コードリールの中心軸側に向けて付勢されて配置されている（例えば、特許文献１参照。）。
【特許文献１】特開２００２−３５９０２７号公報（第３頁）
【発明の開示】
【発明が解決しようとする課題】
【０００３】
しかしながら、上述の電気掃除機では、コードリールの回転性に好ましくない影響を与えないように、コードリールと回転軸との間に隙間が形成されているため、コードリールが回転時に傾くおそれがある。また、外国などで上記電気掃除機を用いる場合には、電源コードの長さを長くしなければならず、それに伴ってコードリールが大きくなることから、コードリールを平面状に配置することがあり、このような配置の場合には、電源コードの重量によってコードリールが撓むおそれがある。
【０００４】
そして、このようにコードリールが傾いたり撓んだりした際には、ブレーキが意図せずにコードリールから外れ、コードリールがぜんまいばねの付勢によって回転して電源コードが意図せずに巻き取られてしまうという問題点を有している。
【０００５】
本発明は、このような点に鑑みなされたもので、コードリールの回転性を損なうことなくブレーキによるコードリールの回転の阻止が意図せずに解除されることを防止した電気掃除機を提供することを目的とする。
【課題を解決するための手段】
【０００６】
本発明は、少なくとも電動送風機に給電可能な電源コードを巻回し、掃除機本体に回転可能に設けられ、この回転により電源コードを掃除機本体に対して出し入れ可能なコードリールと、このコードリールの中心軸方向に向けて付勢され、コードリールに対して接触することでこのコードリールの回転を阻止するブレーキと、コードリールに少なくとも中心軸を除く位置で接触してこのコードリールを軸方向に支持し、かつ、少なくともこのコードリールの回転方向に沿って回転可能な複数の回転体とを具備したものである。
【発明の効果】
【０００７】
本発明によれば、コードリールに少なくとも中心軸を除く位置で接触してこのコードリールを軸方向に支持し、このコードリールの回転方向に沿って回転可能な複数の回転体を備えることで、これら回転体によってコードリールの傾きを防止でき、コードリールの回転性を損なうことなくブレーキによるコードリールの回転の阻止が意図せずに解除されることを防止できる。
【発明を実施するための最良の形態】
【０００８】
以下、本発明の第１の実施の形態の電気掃除機の構成を図１ないし図６を参照して説明する。
【０００９】
図５および図６において、11は電気掃除機を示し、この電気掃除機11は、被掃除面である床面上を走行可能な、いわゆるキャニスタ型の電気掃除機である。
【００１０】
そして、この電気掃除機11は、管部12と、この管部12が着脱可能に接続される掃除機本体13とを有している。
【００１１】
管部12は、掃除機本体13に接続される基端側に対して先端側が前方へ屈曲した接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１２】
手元操作部17には、把持部21がホース体16側へと突出して形成され、この把持部21には、操作用の設定ボタン22が複数配置されている。
【００１３】
また、掃除機本体13は、本体ケース24を備え、この本体ケース24は、上側が開放された下ケース25と、この下ケース25の上部後側を覆って取り付けられた上ケース26と、下ケース25の上部前側を開閉可能な蓋体27とを有している。そして、本体ケース24の内部には、電動送風機室31と、コードリール室32と、本体集塵室33とがそれぞれ区画されており、電動送風機室31内に電動送風機34が配置され、コードリール室32内にコードリール装置36が配置され、かつ、本体集塵室33内に、集塵袋である紙パック、あるいはサイクロン分離装置などの遠心分離装置である集塵装置、すなわち集塵カップなどが着脱可能に配置されている。
【００１４】
下ケース25の両側部には、走行用の走行輪38，38が回転自在に軸支されている。
【００１５】
蓋体27は、本体集塵室33を開閉可能なものであり、上側に向けて本体吸込口39が開口形成されている。この本体吸込口39は、本体集塵室33に連通しており、管部12のホース体16の基端部が着脱可能に接続されるものである。
【００１６】
電動送風機室31は、下ケース25と上ケース26とにより覆われて本体ケース24内の後部に形成されており、電動送風機34からの排気風が、図示しない排気口を介して本体ケース24の外部へと排気可能となっている。
【００１７】
また、電動送風機34は、設定ボタン22で設定された所定の動作モードで動作することで管部12を介して空気とともに塵埃を吸い込むものである。そして、この電動送風機34は、前側を吸込側、後側を排気側として電動送風機室31内に配置されている。なお、この電動送風機34は、例えばカバー体などによって少なくとも一部が覆われていてもよい。
【００１８】
コードリール室32は、図１ないし図３および図５などに示すように、電動送風機室31の下部である下ケース25に、下面41と、この下面41に一体に形成された区画壁部としての区画リブ42と、電動送風機室31との間に位置する隔壁としての平面視略円形状の区画板43とによって平面視で略円形状に区画されている。そして、このコードリール室32は、本体ケース24の左右幅方向の略中央部に位置している。
【００１９】
区画リブ42は、平面視で円弧状に形成されたリブ本体42aと、このリブ本体42aの両端部から下ケース25の一側部へと略直線状に連続した連続部42b，42bとを備えている。
【００２０】
そして、コードリール装置36は、コードリール45と、このコードリール45に巻回された電源コード46と、コードリール45を支持する複数の回転体としての車輪47と、コードリール45の回転を阻止可能なブレーキ48とを備え、コードリール室32に略水平状に配置されている。
【００２１】
コードリール45は、略円筒状の胴体部51と、この胴体部51の両端面からフランジ状に一体に突出した平面視円形状のリブ部としての側板部52，53とを備えた、略コイルボビン状に形成されており、回転軸55を介して本体ケース24の下ケース25に回転可能に軸支されている。
【００２２】
胴体部51は、外周面に電源コード46が巻回される部分である。また、この胴体部51の内部には、収容部としてのぜんまい収容部56が配置され、このぜんまい収容部56の内部には、付勢手段としてのぜんまいばね57が配置されている。
【００２３】
ぜんまい収容部56は、扁平で中空な略円筒状に形成され、中央部に回転軸55が挿通されている。また、このぜんまい収容部56は、コードリール45と一体的に回転可能となっている。
【００２４】
ぜんまいばね57は、一端側が回転軸55に固定され、他端側がぜんまい収容部56に固定され、コードリール45を電源コード46の巻き取り方向へと付勢している。
【００２５】
下側の側板部52は、胴体部51よりも径寸法が大きく形成されている。
【００２６】
上側の側板部53は、下側の側板部52と略等しい径寸法を有している。また、この上側の側板部53には、ブレーキ48が接触する略円筒リブ状の接触部58が同心状に形成されて上側に突出している。さらに、この上側の側板部53の接触部58の内方には、略円筒状の接点部59が同心状に形成されている。
【００２７】
接触部58は、胴体部51よりも若干径小に形成されている。
【００２８】
接点部59は、胴体部51の内部へと連続する筒状に形成されており、中央部に回転軸55が挿通されている。また、この接点部59の内部には、区画板43の略中央部に形成された軸受部である接点取付台61が挿入されており、この接点取付台61に、回転軸55の上端側が挿入されている。さらに、この接点部59の内部には、摺動接点62が配置されている。この摺動接点62は、接点部59側から上方へと突出した金属片である一方の接点すなわち接点端子64，65と、接点取付台61側に配置された金属環(スリップリング)である他方の接点すなわち摺動端子66，67とを備えており、これら接点端子64，65と摺動端子66，67とが互いに対向配置されている。
【００２９】
接点端子64，65は、導電性を有する部材により形成され、回転軸55の周囲にそれぞれ配置されている。
【００３０】
摺動端子66，67は、導電性を有する部材により形成されており、互いに同心状に配置されている。そして、摺動端子66に対して接点端子64の先端側が弾性的に圧接され、摺動端子67に対して接点端子65の先端側が弾性的に圧接されることによりこれら接点端子64，65と電気的および物理的に接続されている。また、これら摺動端子66，67は、電動送風機34およびこの電動送風機34の駆動を制御する図示しない制御手段である制御基板側と電気的に接続されている。
【００３１】
また、回転軸55は、胴体部51を回転可能に軸支しており、下端部が下ケース25に形成された保持受部69に保持されている。
【００３２】
電源コード46は、基端側が接点部59の接点端子64に電気的に接続されているとともに、先端側に、図示しないコンセントなどに接続されるプラグ部71が形成されている。また、この電源コード46は、例えば１０ｍ〜１２ｍ程度の長さに設定されている。
【００３３】
プラグ部71は、コードリール室32を区画する区画リブ42の後側の連続部42bに開口形成されて本体ケース24の外部に連通する四角形状のコード導出口73よりも大きい外形を有しており、このコード導出口73よりも後側に位置している。ここで、コード導出口73は、電源コード46の外形よりも大きく形成されている。したがって、このコード導出口73は、電源コード46を最大に巻き取った状態でプラグ部71が当接することでコードリール45の回転のストッパとなっており、プラグ部71が本体ケース24の内部に入り込んでしまわないように構成されている。
【００３４】
各車輪47は、例えばゴム、あるいはエラストマなどの弾性を有する部材により形成され、コードリール45に対して、下側の側板部52の下側で、かつ、胴体部51の端部と側板部52との連続部近傍にそれぞれ接触してコードリール45を軸方向に支持している。すなわち、各車輪47は、コードリール45に対して、中心軸を除く位置で接触している。また、各車輪47は、区画リブ42の内方で下ケース25に形成された回転体受部としての車輪受部75にそれぞれ回転自在に軸支されており、コードリール45の回転方向に対して、平面視で互いに均等に離間されて配置されている。本実施の形態では、車輪47は、例えば５つ配置されている。すなわち、車輪47は、平面視でコードリール45の中心軸を中心とする正五角形の各頂点の位置に配置されており、例えば前側の１つが周方向の略中心域に配置され、残りの他が左右にそれぞれ２つずつ配置されている。このため、各車輪47は、平面視で、コードリール45の中心軸に対して、互いに対向する位置を除く位置にそれぞれ配置されている。すなわち、各車輪47は、一の車輪47の位置をコードリール45の中心軸に対して周方向に１８０°回転させた位置に他の車輪47が位置しないように配置されている。換言すれば、一の車輪47の位置とコードリール45の中心軸とを結ぶ直線上には、他の車輪47が位置していない。さらに、各車輪47は、コードリール45の回転方向に沿って回転可能である。すなわち、これら車輪47は、コードリール45の平面視での接線方向(回転方向)に略平行に沿って配置されている。換言すれば、これら車輪47は、回転軸がコードリール45の平面視での法線方向に沿うように配置されている。
【００３５】
ブレーキ48は、コードリール45の電源コード46の巻き取り方向への回転を阻止するもので、区画板43に回動可能に軸支された軸支部77と、この軸支部77に対して回転可能に軸支されたブレーキ回転体としてのブレーキ本体78と、軸支部77を介してブレーキ本体78を付勢するブレーキ付勢手段としてのコイルばね79とを有している。
【００３６】
軸支部77は、回動軸81から径方向に突出した軸支本体82と、回動軸81から径方向に軸支本体82と反対側へと突出した付勢受部83とを備えている。
【００３７】
軸支本体82は、ブレーキ本体78を上下から挟持して回転可能に軸支する部分であり、ブレーキ本体78の回転軸85が挿通される軸支穴86が形成されている。
【００３８】
ここで、軸支穴86は、コードリール45の電源コード46の巻き取り方向、本実施の形態では図２中の時計回り方向側が、ブレーキ本体78の回転軸85と略等しい径寸法となっているとともに、コードリール45の電源コード46の引き出し方向、本実施の形態では図２中の反時計回り方向側が幅広に形成されている。したがって、コードリール45が電源コード46の巻き取り方向へと回動しようとすると、ブレーキ本体78の回転軸85が軸支穴86内で幅狭側へと移動してブレーキ本体78の回転がロックされてブレーキ48が作動するとともに、コードリール45が電源コード46の引き出し方向に回動する際には、ブレーキ本体78の回転軸85が軸支穴86内で幅広側へと移動することにより、ブレーキ本体78の回転軸85が軸支部77に対して回転自在となることで、ブレーキ48が作動しないように構成されている。
【００３９】
付勢受部83には、コイルばね79の一端側が接続されており、軸支部77側(ブレーキ本体78)側をコードリール45の中心軸方向へと付勢するように構成されている。
【００４０】
なお、軸支部77は、コイルばね79は、本体ケース24に設けられた図示しないコード巻取ボタンを操作することで、コイルばね79の付勢に抗してブレーキ本体78が接触部58の外周面から離間される方向に回動する。
【００４１】
ブレーキ本体78は、例えばゴム、あるいはエラストマなどにより形成されたローラ体であり、コードリール45の接触部58の外周面に接触可能である。また、このブレーキ本体78は、図４の実線に示すように、コードリール45の軸方向に対して略直交する方向へと回動するように軸支されている。すなわち、ブレーキ本体78は、上下方向に沿って回転軸85を有している。
【００４２】
コイルばね79は、他端側が、区画板43に形成された保持部88に保持されている。
【００４３】
本体集塵室33は、図示しない連通孔を介して電動送風機34の吸込側と連通し、かつ、本体吸込口39を介して本体ケース24の外部と連通している。
【００４４】
次に、上記第１の実施の形態の動作を説明する。
【００４５】
掃除の際には、まず、作業者は、掃除機本体13の蓋体27を開き、本体集塵室33に集塵部を取り付け、蓋体27を閉じる。このとき、作業者は上側の本体吸込口39に、接続管部15を介してホース体16を連通接続し、このホース体16の先端側に、延長管18および床ブラシ19を順次連通接続する。
【００４６】
さらに、作業者は、掃除機本体13から電源コード46を引き出してプラグ部71を図示しないコンセントに接続する。
【００４７】
このとき、コードリール45が電源コード46の引き出し方向に回転すると、ブレーキ本体78の回転軸85が軸支穴86内で幅広側へと移動することにより、ブレーキ本体78の回転軸85が軸支部77に対して回転自在となることでブレーキ48が作動せず、コードリール45が任意に回転する。この回転に伴い、ぜんまいばね57が巻き締められてコードリール45を電源コード46の巻き取り方向へと付勢する付勢力が増加する。
【００４８】
この回転の際に、コードリール45は、各車輪47によって安定的に軸方向に支持されているため、図４の想像線に示すようながたつきが生じることがなく、図４の実線に示すように、ブレーキ本体78が接触部58に対して確実に接触した状態を保持する。
【００４９】
また、作業者が電源コード46の引き出しを停止すると、コイルばね79の付勢により、軸支部77の軸支本体82側がコードリール45の中心軸方向へと回動するように付勢され、ブレーキ本体78の回転軸85が軸支穴86内で幅狭側へと移動してブレーキ本体78の回転がロックされてブレーキ48が作動し、コードリール45がぜんまいばね57の付勢力によって電源コード46の巻き取り方向へと回動することが阻止される。
【００５０】
そして、作業者が、把持部21を把持して所定の設定ボタン22を操作すると、この設定ボタン22により設定された動作モードに応じて電動送風機34が駆動されるので、作業者は、把持部21を把持して床面上で床ブラシ19を前後に走行させることで、電動送風機34による負圧によって、床ブラシ19の先端側から塵埃を空気とともに吸い込む。
【００５１】
なお、この掃除の際の掃除機本体13の走行に伴い振動が生じた場合でも、コードリール45は、各車輪47によって安定的に軸方向に支持されているため、図４の想像線に示すようながたつきが生じることがなく、ブレーキ本体78が接触部58に対して確実に接触してコードリール45の不意の回転が確実に阻止されている。
【００５２】
床ブラシ19から塵埃とともに吸い込まれた空気は吸込風となり、延長管18およびホース体16(接続管部15)を介して、塵埃を本体吸込口39から集塵部へと運び、集塵部にて塵埃が捕集される。
【００５３】
この後、吸込風は、電動送風機34へと吸い込まれ、この電動送風機34を通過して排気風となり、本体ケース24の排気口から掃除機本体13の外部へと廃棄される。
【００５４】
掃除が終了し、電気掃除機11を収納する際には、電動送風機34を停止させる。
【００５５】
この後、作業者が、電源コード46のプラグ部71をコンセントから取り外し、コード巻取ボタンを操作すると、ブレーキ48の軸支部77の軸支本体82が、コイルばね79の付勢に抗してブレーキ本体78がコードリール45の接触部58から離間される方向へと回動することで、ブレーキ本体78が接触部58から離間され、ぜんまいばね57の付勢力によりコードリール45が電源コード46の巻き取り方向へと回転し、電源コード46が胴体部51の周囲へと巻き取られる。
【００５６】
このとき、コードリール45は、各車輪47によって軸方向に安定的に支持されているため、コードリール45が図４の想像線に示すようにがたつくことがなく、図４の実線に示すように安定的に回転するので、コード巻取ボタンの操作を中止すると、ブレーキ48の軸支部77の軸支本体82が、コイルばね79の付勢によってブレーキ本体78がコードリール45の接触部58に接触する方向へと回動し、ブレーキ本体78が接触部58に接触すると、ブレーキ48の作用によってコードリール45の回転が確実に阻止される。
【００５７】
また、集塵部に捕集した塵埃が所定量以上溜まった場合には、作業者は掃除機本体13の蓋体27を開く。そして、集塵部が紙パックなどである場合には、捕集した塵埃とともに集塵部を廃棄して、新たな集塵部を本体集塵室33に取り付けて蓋体27を閉じる。また、集塵部が集塵カップなどである場合には、捕集した塵埃のみを廃棄し、集塵部を再度本体集塵室33に取り付けて蓋体27を閉じる。
【００５８】
上述したように、上記第１の実施の形態では、コードリール45にこのコードリール45の少なくとも中心軸を除く位置で接触してこのコードリール45を軸方向に支持し、コードリール45の回転方向に沿って回転可能な複数の車輪47を備える構成とした。
【００５９】
コードリール45を回転自在に円滑に回転させるためには、コードリール45と回転軸55との間に所定の隙間が必要であり、このような場合、電源コード46の引き出しおよび巻取りの際、あるいは、掃除中に掃除機本体13を移動させる際の振動などにより、隙間によってがたつきが生じ、コードリール45が傾くおそれがある。このため、上記のように車輪47を配置することで、コードリール45の傾きを防止できる。
【００６０】
この結果、コードリール45がぶれないので、ブレーキ48がコードリール45の接触部58から外れたり接触部58に対して滑ったりしてブレーキ48によるコードリール45の回転の阻止が意図せずに解除されることを防止でき、コードリール45の回転性を損なうことなく、電源コード46が電気掃除機11の運転中などに意図せずに巻き取られてしまったり、摺動接点62において接点端子64，65と摺動端子66，67とが離れて電源コード46側から電動送風機34などへの給電が停止して電気掃除機11の運転が停止したりすることを防止できる。
【００６１】
また、コードリール45を軸方向に支持する車輪47を複数配置するだけであるため、別体のギヤなどを用いてコードリールの回転を安定させる構成のように、ギヤなどの複雑な部品が増加することがなく、組立性の低下および製造コストの増加などをも防止できる。
【００６２】
さらに、本実施の形態では、電源コード46の長さを比較的長くしたことにより、コードリール45の大きさも大きくなるため、スペースを考慮して、このコードリール45を掃除機本体13内で略水平状に配置しているので、胴体部51の周囲に巻かれた電源コード46の重量などにより、コードリール45の外周縁側が撓みやすくなっているので、コードリール45の下側に各車輪47を配置することで、このような撓みによってコードリール45の接触部58とブレーキ48との接触が外れたり滑ったりすることを確実に防止できる。
【００６３】
しかも、各車輪47は、リブ状に形成され電源コード46を外周に巻き付ける胴体部51の近傍でコードリール45を支持しているので、コードリール45をより撓みにくい状態で支持できる。
【００６４】
そして、各車輪47は、コードリール45の外方からこのコードリール45に接触しているので、電源コード46の引き出しおよび巻き取りの際に各車輪47が邪魔になることがなく、それらの配置も比較的自由に選択することが可能である。
【００６５】
なお、上記第１の実施の形態において、車輪47は、例えばコードリール45の軸方向の反対側、すなわち区画板43側に設けても同様の作用効果を奏することができる。
【００６６】
次に、第２の実施の形態を図７および図８を参照して説明する。なお、上記第１の実施の形態と同様の構成および作用については、同一符号を付してその説明を省略する。
【００６７】
この第２の実施の形態は、上記第１の実施の形態の車輪47に代えて、コードリール45の一端側であるコードリール室32の下部すなわち下ケース25の下面41上に、複数の回転体としての一方の車輪である下側車輪91がそれぞれ配置されているとともに、コードリール45の他端側であるコードリール室32の上部すなわち区画板43の下部に、複数の回転体としての他方の車輪である上側車輪92がそれぞれ配置され、コードリール45がこれら車輪91，92によって上下から軸方向に挟持するように支持されているものである。
【００６８】
下側車輪91は、例えばゴム、あるいはエラストマなどの合成樹脂により形成され、下面41上に一の回転体受部としての下側車輪受部94によって回転自在に軸支されている。
【００６９】
また、上側車輪92は、例えばゴム、あるいはエラストマなどの合成樹脂により形成され、区画板43に他の回転体受部としての上側車輪受部95によって回転自在に軸支されている。
【００７０】
そして、車輪91，92は、コードリール45の回転方向に対して、平面視で互いに均等に離間されて配置されている。本実施の形態では、車輪91，92は、例えばそれぞれ５つ配置されている。すなわち、車輪91，92は、平面視でコードリール45の中心軸を中心とする正五角形の各頂点の位置に配置されており、例えば前側の１つが周方向の略中心域に配置され、残りの他の４つが左右にそれぞれ２つずつ配置されている。すなわち、各車輪91，92は、コードリール45に対して、中心軸を除く位置で接触している。換言すれば、下側車輪91と上側車輪92とは、コードリール45の軸方向から見て、互いに軸方向に対向する位置に配置されており、各下側車輪91(各上側車輪92)は、コードリール45の中心軸に対して、互いに対向する位置を除く位置にそれぞれ配置されている。すなわち、各下側車輪91(各上側車輪92)は、一の下側車輪91(一の上側車輪92)の位置をコードリール45の中心軸に対して周方向に１８０°回転させた位置に他の下側車輪91(他の上側車輪92)が位置しないように配置されている。換言すれば、一の下側車輪91(一の上側車輪92)の位置とコードリール45の中心軸とを結ぶ直線上には、他の下側車輪91(他の上側車輪92)が位置していない。さらに、各車輪91，92は、コードリール45の回転方向に沿って回転可能である。すなわち、これら車輪91，92は、コードリール45の平面視での接線方向(回転方向)に略平行に沿って配置されている。換言すれば、これら車輪91，92は、回転軸がコードリール45の平面視での法線方向に沿うように配置されている。
【００７１】
さらに、車輪91，92は、それぞれコードリール45の胴体部51と側板部52，53との連続部近傍を支持するように配置されている。
【００７２】
そして、コードリール45に少なくとも中心軸を除く位置で接触してこのコードリール45を軸方向に支持し、このコードリール45の回転方向に沿って回転可能な複数の車輪91，92を備えるなど、上記第１の実施の形態と同様の構成を有することにより、上記第１の実施の形態と同様の作用効果を奏することができる。
【００７３】
また、車輪91，92によりコードリール45を軸方向の両端側の互いに対向する位置で支持することにより、互いにずれた位置で支持する場合と比較して、コードリール45をより安定して支持することが可能になり、コードリール45をより安定して回転させることが可能になるとともに、例えば掃除機本体13を立てたりひっくり返したりした場合でも、コードリール45が傾くことなく安定して回転でき、ブレーキ48が不意に外れたり、摺動接点62の接点端子64，65と摺動端子66，67とが離れて接触不良を起こしたりすることがない。
【００７４】
さらに、例えば下側車輪と上側車輪とをコードリール45の中心軸に対して互いに反対側の位置に配置した場合には、コードリール45の外周縁近傍に対して軸方向に力が加わった際に、コードリール45が下側車輪と上側車輪とにより互いに反対側の位置で上下から挟持されるため、回転がロックされてしまうおそれがあるのに対して、車輪91，92を、コードリール45の中心軸に対して、互いに反対側を除く位置に配置しているので、このようなコードリール45のロックを防止でき、コードリール45の回転性の低下を防止できる。
【００７５】
次に、第３の実施の形態を図９および図１０を参照して説明する。なお、上記各実施の形態と同様の構成および作用については、同一符号を付してその説明を省略する。
【００７６】
この第３の実施の形態は、上記第２の実施の形態の下側車輪91と上側車輪92とに代えて、回転体としての第１回転体である下側車輪96と、回転体としての第２回転体である上側車輪97とが、それぞれ４つずつ配置されているものである。
【００７７】
下側車輪96は、例えばゴム、あるいはエラストマなどの合成樹脂により形成され、下面41上に第１回転体受部としての下側車輪受部98によって回転自在に軸支されている。また、これら下側車輪96は、例えば左右にそれぞれ２つずつ、コードリール45の中心軸に対して、平面視で互いに前後および左右に対称な位置、換言すれば、この中心軸を中心として平面視で正方形の各頂点の位置に配置されている。したがって、これら下側車輪96は、コードリール45の中心軸に対して、平面視で互いに反対側の位置に配置されている。
【００７８】
また、上側車輪97は、例えばゴム、あるいはエラストマなどの合成樹脂により形成され、区画板43に他の回転体受部としての上側車輪受部99によって回転自在に軸支されている。さらに、上側車輪97は、例えば下ケース25の左右幅方向の中心線上に沿って前後に１つずつ、および、この中心線の左右に１つずつ、コードリール45の中心軸に対して、平面視で互いに前後および左右に対称な位置、換言すれば、この中心軸を中心として平面視で正方形の各頂点の位置に配置されており、かつ、下側車輪96に対してコードリール45の中心軸の周方向に例えば９０°ずれた位置に配置されている。したがって、これら上側車輪97は、コードリール45の中心軸に対して、平面視で互いに反対側の位置に配置されているとともに、下側車輪96と上側車輪97とが、コードリール45の軸方向から見て互いに対向しない位置に配置されている。
【００７９】
そして、コードリール45に少なくとも中心軸を除く位置で接触してこのコードリール45を軸方向に支持し、このコードリール45の回転方向に沿って回転可能な複数の車輪96，97を備えるなど、上記第２の実施の形態と同様の作用効果を奏することができる。
【００８０】
また、車輪96，97をコードリール45の軸方向に互いに対向しない位置で保持することにより、車輪96，97の数を必要以上に多くすることなく広い範囲でコードリール45を支持することが可能になる。
【００８１】
なお、上記各実施の形態において、コードリール装置36は、水平状に配置するものでなくても、各車輪47，91，92，96，97を配置することで上記各実施の形態と同様の作用効果を奏することができる。
【００８２】
また、車輪47は、複数個配置すれば、上記配置に限定されるものではない。同様に、下側車輪91，96と上側車輪92，97とは、平面視でコードリール45の中心軸に対して互いに反対側を除く位置であれば、任意に複数個ずつ配置することが可能であり、また、下側車輪91，96と上側車輪92，97とが同数である必要もなく、例えば重力の影響を考慮して下側車輪91，96の数を上側車輪92，97よりも多く設定してもよい。
【００８３】
さらに、各車輪47，91，92，96，97は、例えば側板部52，53に対して胴体部51側から接触するように、すなわち、コードリール45を内方から軸方向に支持するように構成してもよい。
【００８４】
そして、回転体としては、車輪47，91，92，96，97だけでなく、例えば球体などでもよい。
【図面の簡単な説明】
【００８５】
【図１】本発明の第１の実施の形態の電気掃除機の要部を示す縦断面図である。
【図２】同上電気掃除機の要部を示す平面図である。
【図３】同上電気掃除機の要部を示す斜視図である。
【図４】同上電気掃除機の回転体によりコードリールを支持した状態の要部を示す説明側面図である。
【図５】同上電気掃除機の掃除機本体を示す説明断面図である。
【図６】同上電気掃除機を示す斜視図である。
【図７】本発明の第２の実施の形態の電気掃除機の要部を示す説明側面図である。
【図８】同上電気掃除機の要部を示す斜視図である。
【図９】本発明の第３の実施の形態の電気掃除機の要部を示す説明側面図である。
【図１０】同上電気掃除機の要部を示す斜視図である。
【符号の説明】
【００８６】
11    電気掃除機
13    掃除機本体
34    電動送風機
45    コードリール
46    電源コード
47    回転体としての車輪
48    ブレーキ
51    胴体部
91    回転体としての下側車輪
92    回転体としての上側車輪
96    回転体としての第１回転体である下側車輪
97    回転体としての第２回転体である上側車輪
【図１】
2010012020.tif 000003
【図２】
2010012020.tif 000004
【図３】
2010012020.tif 000005
【図４】
2010012020.tif 000006
【図５】
2010012020.tif 000007
【図６】
2010012020.tif 000008
【図７】
2010012020.tif 000009
【図８】
2010012020.tif 000010
【図９】
2010012020.tif 000011
【図１０】
2010012020.tif 000012